(57)【要約】  【課題】多出力型のスイッチング電源において、ピークカット回路を備えた二次側の電圧出力ラインに接続された負荷が無くなった場合、ピークカット回路に流れる無駄なバイパス電流を抑制する。また、この電源を電子機器に搭載し、この電子機器が待機状態時にバイパス電流を抑制する。  【解決手段】ピークカット回路３の機能を制御するピークカット制御部１を設け、制御部２は１３ボルトラインに接続された負荷が無い場合、つまり、接続された負荷が電流を消費しない場合に、ピークカット制御信号をオフにしてピークカット回路３のバイパス電流を遮断するように制御する。また、制御部２は１３ボルトラインに接続された負荷が有る場合、つまり、接続された負荷が電流を消費する場合に、ピークカット制御信号をオンにして、１３ボルトラインが所定の電圧以上にならないように機能する。【選択図】図１
2008136288.tif 000002
【特許請求の範囲】
【請求項１】
一次側巻線と二次側に高圧側巻線と低圧側巻線とを備えたトランスと、同トランスの一次側巻線に印加された直流電圧をスイッチングするスイッチング素子と、前記高圧側巻線と低圧側巻線の電圧をそれぞれ直流に整流し、高圧直流電圧と低圧直流電圧とを出力する整流素子と、前記低圧直流電圧を安定化させるように前記スイッチングを制御するフィードバック回路と、前記高圧直流電圧側の出力ラインと前記低圧直流電圧側の出力ラインとの間に備えられ、前記高圧直流電圧側の出力ラインが所定の電圧以上になった時、前記低圧直流電圧側の出力ラインへ電流をバイパスするピークカット回路とを備えた多出力型のスイッチング電源において、
入力されるピークカット制御信号に対応して前記ピークカット回路の機能をオン／オフするピークカット制御回路を設けてなることを特徴とするスイッチング電源。
【請求項２】
前記ピークカット制御回路を設けたスイッチング電源と、前記高圧直流電圧側の出力ラインに接続された負荷の制御状態に対応して前記ピークカット制御回路へ前記ピークカット制御信号出力する制御部とを備え、
前記制御部が、前記高圧直流電圧側の出力ラインの負荷を切断する待機状態と、前記高圧直流電圧側の出力ラインに負荷を接続する運転状態とに遷移させる電子機器であって、
前記制御部は、前記待機状態の場合に、前記ピークカット制御回路へピークカット機能をオフする前記ピークカット制御信号を出力し、前記運転状態の場合に、前記ピークカット制御回路へピークカット機能をオンする前記ピークカット制御信号を出力してなることを特徴とする電子機器。
【請求項３】
前記ピークカット制御回路を設けたスイッチング電源と、前記高圧直流電圧側の出力ラインに接続された負荷の制御状態に対応して前記ピークカット制御回路へ前記ピークカット制御信号出力する制御部とを備え、
前記制御部が、前記高圧直流電圧側の出力ラインの負荷を切断する待機状態と、前記高圧直流電圧側の出力ラインに負荷を接続する運転状態とに遷移させる電子機器であって、
前記制御部は、前記待機状態から前記運転状態に遷移させる場合、前記高圧直流電圧側の出力ラインに負荷を接続し、次に前記ピークカット制御回路へピークカット機能をオンする前記ピークカット制御信号を出力してなることを特徴とする電子機器。
【請求項４】
前記制御部は、前記運転状態から前記待機状態に遷移させる場合、前記ピークカット制御回路へピークカット機能をオフする前記ピークカット制御信号を出力し、次に前記高圧直流電圧側の出力ラインの負荷を切断してなることを特徴とする請求項３記載の電子機器。
【発明の詳細な説明】
【技術分野】
【０００１】
本発明は、一次側への電圧フィードバックで安定化させる二次側の安定化電源回路と、ピークカット回路を設けた二次側の非安定化電源回路とを備えた多出力型のスイッチング電源に係わり、より詳細には、ピークカット回路を制御する回路を付加した電源と、この電源を備えた電子機器に関する。
【背景技術】
【０００２】
従来、多出力型のスイッチング電源は、例えば図６に示す回路図のものが開示されている。この電源は商用電源Ｅを整流するブリッジダイオードＲと、整流された直流電圧を一次側のコイルＮＰを介してスイッチングするスイッチング素子Ｑ１と、コイルＮＰでスイッチングされた電圧を変圧し、２つの二次側コイルＮＳ１，ＮＳ２へ出力するするトランスＴと、二次側コイルＮＳ１から出力される交流電圧を１３ボルトの直流電圧に整流するダイオードＤ１と、二次側コイルＮＳ２から出力される交流電圧を５ボルトの直流電圧に整流するダイオードＤ２と、５ボルトの直流電圧を監視し、常にこの電圧を維持するようにスイッチング素子Ｑ１のスイッチング制御を行なうフィードバック回路８０とを備えている。
【０００３】
また、ブリッジダイオードＲの出力には並列に平滑コンデンサＣ１が、また、ダイオードＤ１，Ｄ２の出力側には平滑コンデンサＣ２とＣ３とがそれぞれ備えられている。さらに、１３ボルトの出力ラインと５ボルトの出力ラインとの間にはピークカット回路８１が設けられている。なお、１３ボルトの出力ラインには端子８２が、また、５ボルトの出力ラインには端子８３が、これらの共通電圧０ボルトのラインには端子８４が、それぞれ接続されている。
【０００４】
この電源では５ボルトラインに接続された図示しない負荷が変動しても５ボルトの電圧を正確に維持するようになっており、１３ボルトライン側は正確な電圧制御を行なっていない。ただし、５ボルトラインの負荷が重くなるとスイッチング素子Ｑ１のオン時間が長くなり、結果的にコイルＮＳ１の電圧が上昇し、１３ボルトラインの電位が上昇してしまう。
【０００５】
一般的に端子８２（１３ボルト側）にはステッピングモータやソレノイドなどの比較的大きな負荷が接続されることが多く、正確な電圧は不要であるが、例えばこの電圧が１５ボルト以上になったりすると、ステッピングモータの発熱による温度上昇や、無駄な消費電流が増加したりする。
【０００６】
このため、多出力型のスイッチング電源では、非安定化の電圧が出力される電源にピークカット回路を設ける場合が多い。このピークカット回路は、基本的に一定以上の電圧が印加された時に擬似的に出力に短絡電流（バイパス電流）を流し、この結果、非安定化の電圧が出力されるライン、図６の回路では端子８２（１３ボルト側）が一定以上の電圧にならないようにするものであり、一般的には定電圧ダイオードが用いられる。
【０００７】
図６に示すピークカット回路８１は、定電圧ダイオードＤＺの電流容量が少ないため、トランジスタＱ２でツェナー電流を増やすようにした回路となっている。ピークカット回路８１は、１３ボルトラインと５ボルトラインとの間に、抵抗Ｒ３、トランジスタＱ２のコレクタ〜エミッタを順次直列に接続し、また、１３ボルトラインに接続された抵抗Ｒ４と直列に配置された定電圧ダイオードＤＺが、トランジスタＱ２のベースに接続されている。
【０００８】
従って、１３ボルトラインの電圧が、定電圧ダイオードＤＺで決定される所定の電圧値、例えば１３ボルトを越えると、トランジスタＱ２のベース電流が流れ、１３ボルトライン側から５ボルトライン側にバイパス電流が流れ、１３ボルトラインの電圧上昇を抑制するようになっている。
【０００９】
また、トランジスタＱ２のコレクタ〜エミッタ間に電流が流れると、５ボルトラインの電位を上昇させることになり、この上昇を抑制するようにフィードバック回路８０が働き、スイッチング素子Ｑ１のオン時間が短くなり、結果的にコイルＮＳ１の電圧が低下する。このため、５ボルトライン側の回路を経由して１３ボルトライン側の電圧を安定化する機能も合わせ持っている（例えば、特許文献１参照。）。
【００１０】
しかしながら、このピークカット回路８１は、１３ボルトラインに接続されており、１３ボルトラインに接続された負荷が軽い場合は、このラインの電圧が高めに維持されるため、バイパス電流が常にピークカット回路８１に流れることになる。このため、例えば、エアコンなどの機器にこの電源を用いた場合、空気調和動作を行なわない、所謂待機状態の時に無駄なバイパス電流が流れ続けることになり、省エネルギーの観点から改善が求められていた。
【特許文献１】特開平４−２５１５６３号公報（第２−３頁、図１）
【発明の開示】
【発明が解決しようとする課題】
【００１１】
本発明は以上述べた問題点を解決し、多出力型のスイッチング電源において、ピークカット回路を備えた二次側の電圧出力ラインに接続された負荷が無くなった場合、ピークカット回路に流れる無駄なバイパス電流を抑制することを目的とする。また、この電源を電子機器に搭載し、この電子機器が待機状態時のバイパス電流を抑制することを目的とする。
【課題を解決するための手段】
【００１２】
本発明は上述の課題を解決するため、一次側巻線と二次側に高圧側巻線と低圧側巻線とを備えたトランスと、同トランスの一次側巻線に印加された直流電圧をスイッチングするスイッチング素子と、前記高圧側巻線と低圧側巻線の電圧をそれぞれ直流に整流し、高圧直流電圧と低圧直流電圧とを出力する整流素子と、前記低圧直流電圧を安定化させるように前記スイッチングを制御するフィードバック回路と、前記高圧直流電圧側の出力ラインと前記低圧直流電圧側の出力ラインとの間に備えられ、前記高圧直流電圧側の出力ラインが所定の電圧以上になった時、前記低圧直流電圧側の出力ラインへ電流をバイパスするピークカット回路とを備えた多出力型のスイッチング電源において、
入力されるピークカット制御信号に対応して前記ピークカット回路の機能をオン／オフするピークカット制御回路を設ける。
【００１３】
また、前記ピークカット制御回路を設けたスイッチング電源と、前記高圧直流電圧側の出力ラインに接続された負荷の制御状態に対応して前記ピークカット制御回路へ前記ピークカット制御信号出力する制御部とを備え、
前記制御部が、前記高圧直流電圧側の出力ラインの負荷を切断する待機状態と、前記高圧直流電圧側の出力ラインに負荷を接続する運転状態とに遷移させる電子機器であって、
前記制御部は、前記待機状態の場合に、前記ピークカット制御回路へピークカット機能をオフする前記ピークカット制御信号を出力し、前記運転状態の場合に、前記ピークカット制御回路へピークカット機能をオンする前記ピークカット制御信号を出力する。
【００１４】
もしくは、前記ピークカット制御回路を設けたスイッチング電源と、前記高圧直流電圧側の出力ラインに接続された負荷の制御状態に対応して前記ピークカット制御回路へ前記ピークカット制御信号出力する制御部とを備え、
前記制御部が、前記高圧直流電圧側の出力ラインの負荷を切断する待機状態と、前記高圧直流電圧側の出力ラインに負荷を接続する運転状態とに遷移させる電子機器であって、
前記制御部は、前記待機状態から前記運転状態に遷移させる場合、前記高圧直流電圧側の出力ラインに負荷を接続し、次に前記ピークカット制御回路へピークカット機能をオンする前記ピークカット制御信号を出力する。
【００１５】
また、前記制御部は、前記運転状態から前記待機状態に遷移させる場合、前記ピークカット制御回路へピークカット機能をオフする前記ピークカット制御信号を出力し、次に前記高圧直流電圧側の出力ラインの負荷を切断する。
【発明の効果】
【００１６】
以上の手段を用いることにより、本発明によるスイッチング電源によれば、
請求項１に係わる発明は、ピークカット回路の機能をオン／オフするピークカット制御回路を設けたので、高圧直流電圧側の出力ラインが無負荷の場合にピークカット回路の機能をオフすることができ、ピークカット回路での無駄な消費電流を低減できる。
【００１７】
また、本発明によるスイッチング電源を備えた電子機器によれば、
請求項２に係わる発明は、電子機器にピークカット制御回路を備えた電源を設けたので、この電子機器が待機状態、つまり、高圧直流電圧側の出力ラインが無負荷の場合にピークカット回路での無駄な消費電流を低減できる。
【００１８】
請求項３に係わる発明は、電子機器にピークカット制御回路を備えた電源を設け、待機状態から運転状態に遷移させる場合、つまり、高圧直流電圧側の出力ラインに負荷が接続される時に高圧直流電圧側の出力ラインの電圧を一旦、低下させてからピークカット回路をオンするので、ピークカット回路からのバイパス電流による低圧直流電圧側の出力ライン電圧変動を低減させることができる。
【００１９】
請求項４に係わる発明は、運転状態から待機状態に遷移させる場合、つまり、高圧直流電圧側の出力ラインから負荷が切断される時にピークカット回路をオフしてから、高圧直流電圧側の出力ラインを無負荷とするので、ピークカット回路からのバイパス電流による低圧直流電圧側の出力ライン電圧変動を低減させることができる。
【発明を実施するための最良の形態】
【００２０】
以下、本発明の実施の形態を、添付図面に基づいた実施例として詳細に説明する。なお、背景技術で説明した回路と同じ部分については、同じ番号を付与すると共に、詳細な説明を省略する。
【実施例１】
【００２１】
図１は本発明によるスイッチング電源を示す回路図である。この電源部１０は商用電源Ｅを整流するブリッジダイオードＲと、整流された直流電圧を一次側のコイルＮＰを介してスイッチングするスイッチング素子Ｑ１と、コイルＮＰでスイッチングされた電圧を変圧し、２つの二次側コイルＮＳ１，ＮＳ２へ出力するトランスＴと、二次側コイルＮＳ１から出力される交流電圧を１３ボルトの直流電圧に整流するダイオードＤ１と、二次側コイルＮＳ２から出力される交流電圧を５ボルトの直流電圧に整流するダイオードＤ２と、５ボルトの直流電圧を監視し、常にこの電圧を維持するようにスイッチング素子Ｑ１のスイッチング制御を行なうフィードバック回路８０とを備えている。
【００２２】
また、ブリッジダイオードＲの出力には並列に平滑コンデンサＣ１が、また、ダイオードＤ１，Ｄ２の出力側には平滑コンデンサＣ２とＣ３とがそれぞれ備えられている。さらに、１３ボルトラインの出力側と５ボルトラインの出力側との間にはピークカット回路３が設けられている。
【００２３】
そして、このピークカット回路３の機能を制御するピークカット制御部１がピークカット回路３に接続されている。なお、ピークカット制御部１は、マイコンなどで構成された制御部２の指示により、ピークカット回路３の機能のオン／オフを行なうようになっている。また、制御部２は、この電源部１０が備えられた電子機器、例えば空気調和機の制御を行なうものであり、電源部１０を構成するものではない。なお、１３ボルトラインは５ボルトラインに対して高圧直流電圧側であり、また、逆に５ボルトラインは１３ボルトラインに対して低圧直流電圧側となる。
【００２４】
このピークカット回路３は定電圧ダイオードＤＺで構成されており、このカソード端子は１３ボルトラインに、また、このアノード端子はピークカット制御部１に、それぞれ接続されている。そして、このアノード端子はピークカット制御部１の動作により、５ボルトラインへ接続／未接続（ピークカット機能のオン／オフ）の制御が行なわれる。従って、このアノード端子が５ボルトラインへ接続された時のみ、ピークカット機能が働くことになる。
【００２５】
ピークカット制御部１では、定電圧ダイオードＤＺのアノード端子がＰＮＰ型のトランジスタＱ２のエミッタに接続され、トランジスタＱ２のコレクタは５ボルトラインへ接続されている。また、トランジスタＱ２のベースは、一端が１３ボルトラインに接続された抵抗Ｒ１の他端に接続され、この抵抗Ｒ１の他端は抵抗Ｒ２の一端に接続されている。そして、抵抗Ｒ２の他端はＮＰＮ型のトランジスタＱ３のコレクタに接続され、トランジスタＱ３のエミッタは０ボルトラインへ接続されている。
【００２６】
制御部２からはトランジスタＱ３のベースにピークカット制御信号が出力されるようになっており、このピークカット制御信号がオン、つまり、トランジスタＱ３のベース電流が流れる状態の時、トランジスタＱ３とトランジスタＱ２とがオンとなり、定電圧ダイオードＤＺによるピークカット機能がオンとなる。一方、ピークカット制御信号がオフ、つまり、トランジスタＱ３のベース電流が流れない状態の時、トランジスタＱ３とトランジスタＱ２とがオフとなり、定電圧ダイオードＤＺによるピークカット機能がオフとなる。
【００２７】
制御部２は１３ボルトラインに接続された負荷が無い場合、つまり、接続された負荷が電流を消費しない場合に、ピークカット制御信号をオフにしてピークカット回路３のバイパス電流を遮断するように制御する。また、制御部２は１３ボルトラインに接続された負荷が有る場合、つまり、接続された負荷が電流を消費する場合に、ピークカット制御信号をオンにして、１３ボルトラインが所定の電圧以上にならないように機能する。
【００２８】
このように、ピークカット回路の機能をオン／オフするピークカット制御回路を設けたので、高圧直流電圧側の出力ラインが無負荷の場合にピークカット回路の機能をオフすることができ、ピークカット回路での無駄な消費電流を低減できる。
【００２９】
図４は図１で説明した電源部１０を備えた電子機器、ここでは空気調和機の制御系ブロック図である。なお、説明を簡略化するため、空気調和機に備えられたファンモータや冷媒回路など、本発明と直接的に関係がない部分については、図示と説明を省略する。又、空気調和機の制御系は、電源として他の電圧、例えば１５ボルトなどの電圧を使用するが、これについても同様に省略する。
【００３０】
図４の空気調和機は、図示しない商用電源に接続された電源部１０と、この電源部１０の５ボルトラインに接続されたリセット回路４と制御部２、電源部１０の１３ボルトラインに接続されたステッピングモータ６、これを駆動するドライブ回路５とを備えている。
【００３１】
電源部１０の０ボルトラインはグランド（アース）に接続され、リセット回路４からリセット信号ラインが制御部２へ接続され、また、制御部２からドライブ回路５へ駆動信号ラインが接続され、さらに、制御部２から電源部１０内部のピークカット制御部１へ制御信号ラインが接続されている。
【００３２】
リセット回路４は電源部１０の５ボルトラインの電圧を監視しており、この電圧が４．２ボルト以下になった時、制御部２をリセットする信号を出力する。一方、ステッピングモータ６は複数相のコイルを備えており、制御部２が各相毎に出力するパルス状の駆動信号に対応してステッピングモータ６に備えられた回転軸が回転する。
【００３３】
また、ステッピングモータ６は複数のコイルに所定の位相で電圧を印加しておくことにより、回転軸の回転角度を固定して保持するようになっており、通常の運転状態では制御部２から回転指示が無い限りこの状態に保持される。さらに、空気調和機が待機状態、つまり、図示しないリモコンなどで電源オフが指示された場合、消費電流を削減するため制御部２はドライブ回路５がオフ状態（内部のトランジスタがカットオフ）となるように駆動信号を出力する。この結果、ステッピングモータ６は、電源部１０の１３ボルトラインに接続されているが、電流が全く流れない状態になる。
【００３４】
前述したように、１３ボルトラインは基本的に電圧安定化回路を備えていないため、ピークカット回路３を用いて、１３ボルトラインの負荷が軽くなった時に電圧上昇を押さえるようになっている。従って、空気調和機が待機状態になった時は全くの無負荷状態になるためピークカット回路３での電流が増大する。このため、空気調和機が待機状態になった時に、制御部２はピークカット制御部１に対してピークカット回路３をオフするように指示する。また、空気調和機が待機状態から通常の運転状態に復帰したときに、制御部２はピークカット制御部１に対してピークカット回路３をオンするように指示する。なお、この制御手順については、制御方法２として後で詳細に説明する。
【００３５】
このように本発明による電源部を電子機器、例えば空気調和機などに搭載し、この電子機器が例えば待機状態等のように、電源部に接続された負荷にほとんど電流が流れない状態のとき、ピークカット回路３のバイパス電流を遮断して無駄な待機電力を消費しないようにすることができる。
【００３６】
以上のような構成と制御を用いれば、この電源部１０を搭載する空気調和機での負荷変動が小さい場合は待機時の無駄な消費電力を低減できる。しかし、負荷変動が大きい場合、ピークカット回路３の単純な制御だけではうまくいかない場合がある。次にこの電源部１０に接続された負荷変動が大きい場合の例を説明する。
【００３７】
図２は図４の空気調和機を制御する場合の電源関連のタイムチャートであり、図２のＡ）は１３ボルトラインの電圧を、Ｂ）は１３ボルトラインの負荷として接続されたステッピングモータ６の駆動信号を、Ｃ）は５ボルトラインの電圧を、Ｄ）は制御部２の指示によるピークカット回路３の状態をそれぞれ示している。なお、縦の点線は図示しない空気調和機がリモコンからの電源オン信号により遷移する空気調和機の状態を区分しており、待機状態と運転状態とが遷移するタイミングを示している。
【００３８】
待機状態の場合は、空気調和機の運転が停止した状態であり、図示しないリモコンの受信回路や制御回路の一部が動作しており、ステッピングモータやソレノイドなどの駆動電流が多い部品には電源が供給されていない。従って、５ボルトラインから供給される電流も少なく、また、１３ボルトラインの電圧は無負荷のため、１６．４ボルトまで上昇している。なお、ピークカット回路３も待機電力節約のため、制御部２の指示によりピークカット機能がオフとなっている。なお、ピークカット回路３は１３．２ボルト以上の電圧をカットするようになっている。
【００３９】
ここでリモコンからの電源オン信号が来ると空気調和機の制御部２は、待機状態から運転状態に移行し、ピークカット機能をオンにし、空気調和機の運転に関する初期化（約０．６秒）を行なったのち、図示しない水平風向板を駆動するステッピングモータ６へ駆動信号を出力する。なお、この駆動信号は前述したように、ステッピングモータ６の回転軸角度を保持するための信号である。
【００４０】
ピークカット機能をオンにした時、まだ制御部２は初期化途中であり、ステッピングモータ６の駆動信号はオフのままである。従って、ピークカット回路３には１６．４ボルトが印加されることになり、ピークカット回路３の規定値である１３．２ボルトになるようにピークカット回路３の定電圧ダイオードＤＺに電流が流れる。
【００４１】
この電流はトランジスタＱ２を介して５ボルトラインに流れ込み、このラインの電圧が一時的に上昇する。このラインの電圧が上昇すると、フィードバック回路８０を介してスイッチング素子Ｑ１のオン時間を狭める、つまり、５ボルトラインの電位を低下させるように作用し、結果的に５ボルトラインの電圧は低下する。この時、定電圧ダイオードＤＺに流れる電流が大きいと、これに対応して、さらに５ボルトラインの電圧は低下する。
【００４２】
このため、本来であれば５ボルト付近で安定しなければならない５ボルトラインの電圧は５ボルトを割り込んで、一時的に４ボルト以下にまで低下する。従って、この５ボルトラインに接続されたリセット回路が制御部２に対してリセットの信号を出力し、空気調和機全体が初期化されてしまう。
【００４３】
このため、本来はリセットが実施されないタイミングで、リセット動作が行なわれるために空気調和機の動作としては異常動作となる。また、電源として見た場合でも５ボルトラインの電圧が大幅に変化するため性能的に問題がある。
【００４４】
次に以上説明した不具合を解消した制御方法１について説明する。なお、図１の回路を用いて制御タイミングのみ変更する。
【００４５】
図３は図１の電源を空気調和機に搭載し、本発明による制御を行なった場合のタイムチャートであり、図３のＡ）は１３ボルトラインの電圧を、Ｂ）は１３ボルトラインの負荷として接続されたステッピングモータの駆動信号を、Ｃ）は５ボルトラインの電圧を、Ｄ）は制御部２の指示によるピークカット回路３の状態をそれぞれ示している。
【００４６】
なお、この制御方法の場合は前述した待機状態と、運転状態とに加え、待機状態から運転状態へ移行するための運転準備状態と、運転状態から待機状態へ移行するための待機準備状態を実施するようになっている。
【００４７】
待機状態の場合は図２で説明した通り空気調和機の運転が停止した状態であり、リモコンの受信回路や制御回路の一部が動作しており、ステッピングモータやソレノイドなどの駆動電流が多い部品には電源が供給されていない。従って、５ボルトラインから供給される電流も少なく、また、１３ボルトラインの電圧は無負荷のため、１６．４ボルトまで上昇している。なお、ピークカット回路３も待機電力節約のため、制御部２の指示によりピークカット機能がオフとなっている。
【００４８】
運転準備状態では、ピークカット回路３をオフしたままであり、ピークカット回路３が備えられた非安定化電源である１３ボルトラインに接続された負荷、ここではステッピングモータを駆動する。このため、負荷が接続された１３ボルトラインの電圧は無負荷状態であった１６．４ボルトから１３．２ボルトへ低下する。
【００４９】
１３ボルトラインの電圧が１６．４ボルトから１３．２ボルトへ低下し、この電圧が安定したタイミングでピークカット回路３をオンする。この時点では１３ボルトラインの電圧が１３．２ボルトになっているため、定電圧ダイオードＤＺにはほとんど電流が流れない。このため、この定電圧ダイオードＤＺから５ボルトラインへ流れる電流が少なく、５ボルトラインの電圧を押し上げることがない。従って、前述した問題であるフィードバック回路を介しての５ボルトラインの電圧低下を引き起こすことがない。
【００５０】
なお、運転状態から待機状態に移行する場合は待機準備状態を設け、運転準備状態の逆の手順でステッピングモータとピークカット回路を制御する。つまり、ステッピングモータを駆動（保持状態）したままピークカット回路をオフし、その後、ステッピングモータの駆動をオフする。
【００５１】
このように、高圧直流電圧ライン（１３ボルトライン）に負荷がない場合に、このラインに備えられたピークカット回路をオフして、このラインを用いた機器の待機時消費電力を低減させる。そして、電子機器が待機状態から運転状態に移行する間に運転準備期間を設け、この期間に高圧直流電圧ラインに負荷を接続し、その後、ピークカット回路をオンにする制御を行なう。これにより、過渡期の電圧変動を低減させることができ、かつ、待機時消費電力を低減させることができる。
【００５２】
次に図５を用いて制御部２のピークカット回路制御に関する動作を説明する。
【００５３】
図５は制御部のフローチャートであり、ＳＴはステップを表し、これに続く数字はステップ番号を、また、ＹはＹｅｓを、ＮはＮｏをそれぞれ表している。また、図５（Ａ）は前述した制御方法１（図３で説明）を示し、図５（Ｂ）は制御方法２（図２で説明）を示している。
【００５４】
図５（Ａ）の制御方法１において制御部２は、電源部が商用電源に接続されると動作を開始し、まず最初に電子機器、ここでは空気調和機全体の初期化を行なう（ＳＴ１）。次に、ピークカット制御部１を介してピークカット回路３の機能をオフする（ＳＴ２）。そして、ドライブ回路５を介してステッピングモータ６の巻線をグランドから切り離すことにより、ステッピングモータ６の駆動をオフする（ＳＴ３）。
【００５５】
次に、図示しないリモコンからの電源オンの信号の受信待ちを行なう。つまり、運転開始の指示を確認し（ＳＴ４）、この指示がない場合（ＳＴ４−Ｎ）、ＳＴ４へジャンプする。
【００５６】
運転開始の指示がある場合（ＳＴ４−Ｙ）、図示しない室外機に指示を与えるなどの運転に関する初期化を行なう（ＳＴ５）。そして、ステッピングモータ６の駆動をオン（ＳＴ６）、つまり、ドライブ回路５を介してステッピングモータ６の巻線をグランドに接続して、ステッピングモータ６の回転軸を保持状態にする。
【００５７】
そして、所定時間、例えば０．６秒が経過したか確認する（ＳＴ７）。これは、確実にステッピングモータ６が保持状態になる時間である。つまり、確実に１３ボルトラインに負荷が接続され、１３ボルトラインの電圧が１６．４ボルトから１３．２ボルト程度まで電圧低下するまでの時間である。所定時間が経過しなければ（ＳＴ７−Ｎ）、ＳＴ７へジャンプする。
【００５８】
所定時間が経過したら（ＳＴ７−Ｙ）、ピークカット制御部１を介してピークカット回路３の機能をオンする（ＳＴ８）。そして、通常の運転、つまり、冷房や暖房の制御を行なう（ＳＴ９）。そして、通常運転中にリモコンからの電源オフの信号を受信、つまり、運転の停止指示があれば（ＳＴ１０）、ＳＴ２へジャンプする。運転の停止指示がなければ（ＳＴ１０−Ｎ）、ＳＴ９へジャンプする。
【００５９】
以上説明したように、電子機器にピークカット制御回路を備えた電源を設け、待機状態から運転状態に遷移させる場合、高圧直流電圧側の出力ラインの電圧を一旦、低下させてからピークカット回路をオンするので、ピークカット回路からのバイパス電流による低圧直流電圧側の出力ライン電圧変動を低減させることができる。また、同時に待機時の無駄なバイパス電流を低減できる。
【００６０】
また、運転状態から待機状態に遷移させる場合、ピークカット回路をオフしてから、高圧直流電圧側の出力ラインを無負荷とするので、ピークカット回路からのバイパス電流による低圧直流電圧側の出力ライン電圧変動を低減させることができる。
【００６１】
次に、制御方法２について、図５（Ｂ）を用いて説明する。
【００６２】
制御部２は、電源部が商用電源に接続されると動作を開始し、まず最初に電子機器、ここでは空気調和機全体の初期化を行なう（ＳＴ１１）。次に、ピークカット制御部１を介してピークカット回路３の機能をオフする。又、同時にドライブ回路５を介してステッピングモータ６の巻線をグランドから切り離すことにより、ステッピングモータ６の駆動をオフする（ＳＴ１２）。
【００６３】
次に、図示しないリモコンからの電源オンの信号の受信待ちを行なう。つまり、運転開始の指示を確認し（ＳＴ１３）、この指示がない場合（ＳＴ１３−Ｎ）、ＳＴ１３へジャンプする。
【００６４】
運転開始の指示がある場合（ＳＴ１３−Ｙ）、ピークカット制御部１を介してピークカット回路３の機能をオンする（ＳＴ１４）。次に、図示しない室外機に指示を与えるなどの運転に関する初期化を行なう（ＳＴ１５）。そして、ステッピングモータ６の駆動をオン（ＳＴ１６）、つまり、ドライブ回路５を介してステッピングモータ６の巻線をグランドに接続して、ステッピングモータ６の回転軸を保持状態にする。
【００６５】
そして、通常の運転、つまり、冷房や暖房の制御を行なう（ＳＴ１７）。そして、通常運転中にリモコンからの電源オフの信号を受信、つまり、運定の停止指示があれば（ＳＴ１８−Ｙ）、ＳＴ１２へジャンプする。運転の停止指示がなければ（ＳＴ１８−Ｎ）、ＳＴ１７へジャンプする。
【００６６】
このように、電子機器、ここでは空気調和機にピークカット制御回路を備えた電源を設け、電子機器が待機状態の間、ピークカット機能をオフ（機能停止）したので、この電子機器が待機状態のときにピークカット回路での無駄な消費電流を低減することができる。また、１３ボルトラインの負荷制御を行なわないので、制御が簡単であり、さまざまな電子機器に広く応用することができる。
【００６７】
以上説明した実施例において、電源部の二次側出力電圧を５ボルトや１３ボルトとして説明しているが、これに限るものでなく、他の電圧でも同様の効果を得ることができる。また、１３ボルトラインの負荷をステッピングモータとして説明しているが、この電源を使用する負荷であれば、ステッピングモータに限るものでない。
【００６８】
さらに、電源部の二次側出力電圧を２種類とした例を説明したが、２種類以上の電圧を取り出せる多出力型のスイッチング電源であれば同様の効果を得ることができる。
【図面の簡単な説明】
【００６９】
【図１】本発明によるスイッチング電源の実施例を示す回路図である。
【図２】本発明によるスイッチング電源を搭載した空気調和機の制御を説明するタイムチャートである。
【図３】本発明によるスイッチング電源を搭載した空気調和機の他の制御を説明するタイムチャートである。
【図４】本発明によるスイッチング電源を搭載した空気調和機の制御系統を説明するブロック図である。
【図５】本発明によるスイッチング電源を搭載した空気調和機の制御を説明するフローチャートであり、（Ａ）は制御方法１を、（Ｂ）が制御方法２をそれぞれ示している。
【図６】従来のスイッチング電源を示す回路図である。
【符号の説明】
【００７０】
１  ピークカット制御部
２  制御部
３  ピークカット回路
４  リセット回路
５  ドライブ回路
６  ステッピングモータ
１０  電源部
８０  フィードバック回路
８２、８３、８４  端子
Ｅ  商用電源
Ｒ  ブリッジダイオード
Ｃ１、Ｃ２、Ｃ３  平滑コンデンサ
Ｄ１、Ｄ２、Ｄ３  ダイオード
Ｑ１  スイッチング素子
Ｑ２、Ｑ３  トランジスタ
Ｒ１、Ｒ２  抵抗
ＮＰ、ＮＳ１、ＮＳ２  コイル
【図１】
2008136288.tif 000003
【図２】
2008136288.tif 000004
【図３】
2008136288.tif 000005
【図４】
2008136288.tif 000006
【図５】
2008136288.tif 000007
【図６】
2008136288.tif 000008